(57)【要約】【課題】たとえば住宅の非居室などの室内空間の温度環境を、消費電力を増大させることなく改善する。【解決手段】空調システム（２）は、第１の室内空間（９１〜９３）および第２の室内空間（９４）を含む建物における空調システムであって、吸気した空気の温度を調整するための空調機（２）と、空調機による温度調整後の空気を第１の室内空間に吹き出す第１の吹出し口（３１〜３３）と、温度調整後の空気を第２の室内空間に吹き出す第２の吹出し口（３４）と、第１の吹出し口および第２の吹出し口の少なくとも一方に設けられ、吹出し口の開度を調整するための開度調整機構（４１〜４４）とを備える。開度調整機構（４１〜４４）は、室内空間の空気の温度に応じて形状が変化する形状変化部材と、形状変化部材の形状変化に応じて位置が変えられることによって開度を変更する位置変更部材とを含む。【選択図】図２
2019007639.tif 000002
【特許請求の範囲】
【請求項１】
第１の室内空間および第２の室内空間を含む建物における空調システムであって、
吸気した空気の温度を調整するための空調機と、
前記空調機による温度調整後の空気を前記第１の室内空間に吹き出す第１の吹出し口と、
前記空調機による温度調整後の空気を前記第２の室内空間に吹き出す第２の吹出し口と、
前記第１の吹出し口および前記第２の吹出し口の少なくとも一方に設けられ、吹出し口の開度を調整するための開度調整機構とを備え、
前記開度調整機構は、室内空間の空気の温度に応じて形状が変化する形状変化部材と、前記形状変化部材の形状変化に応じて位置が変えられることによって前記開度を変更する位置変更部材とを含む、空調システム。
【請求項２】
前記開度調整機構は、前記第１の吹出し口および前記第２の吹出し口の双方に設けられており、
前記第１の吹出し口における前記形状変化部材と、前記第２の吹出し口における前記形状変化部材とは、形状が変化する温度帯が異なっている、請求項１に記載の空調システム。
【請求項３】
前記第１の室内空間が居室であり、前記第２の室内空間が非居室である、請求項２に記載の空調システム。
【請求項４】
前記第１の吹出し口に設けられた前記開度調整機構により調整される前記第１の吹出し口の開度の最小状態は、全閉と全開との間の開状態であり、
前記第２の吹出し口に設けられた前記開度調整機構により調整される前記第２の吹出し口の開度の最小状態は、全閉状態である、請求項２または３に記載の空調システム。
【請求項５】
前記第１の室内空間および前記第２の室内空間は、異なる階に配置された非居室であり、
前記第１の吹出し口に設けられた前記開度調整機構および前記第２の吹出し口に設けられた前記開度調整機構は、前記第１の吹出し口が全開状態の場合に前記第２の吹出し口が全閉状態となり、前記第１の吹出し口が全閉状態の場合に前記第２の吹出し口が全開状態となるように構成されている、請求項２に記載の空調システム。
【請求項６】
前記開度調整機構は、温度調整後の空気が前記形状変化部材に当たらないようにするための風除け部材を含む、請求項１〜５のいずれかに記載の空調システム。
【請求項７】
前記形状変化部材は、形状記憶合金である、請求項１〜６のいずれかに記載の空調システム。
【発明の詳細な説明】
【技術分野】
【０００１】
本発明は、複数の室内空間を含む建物における空調システムに関する。
【背景技術】
【０００２】
従来から、建物内における複数の室内空間の温度調整を共通の空調機で行う全館空調システムが提案されている。全館空調システムでは、たとえば機械室等に設置された空調機による温度調整後の空気が、複数のダクトを介して複数の室内空間にそれぞれ供給される。
【０００３】
たとえば特開２０１３−１３３９４５号公報（特許文献１）では、複数の居室および非居室を空調対象とする空調システムが開示されている。この空調システムでは、非居室に接続されるダクトに、機械室に通じる分岐ダクトが設けられており、空調開始直後に温度調整後の空気を機械室に供給することで、空調機の効率を向上する技術が提案されている。
【０００４】
また、特開平４−５５６５３号公報（特許文献２）では、各室内空間の温度と設定温度との温度差に応じて、各吹出し口に設けられたダンパの開度を調整制御するダクト式空気調和装置の制御方法が提案されている。
【先行技術文献】
【特許文献】
【０００５】
【特許文献１】特開２０１３−１３３９４５号公報
【特許文献２】特開平４−５５６５３号公報
【発明の概要】
【発明が解決しようとする課題】
【０００６】
特許文献１の空調システムにおいては、住宅の居室だけでなく非居室にも吹出し口が設けられており、空調開始から一定時間経過後に、非居室にも温度調整後の空気が供給される。
【０００７】
夏期において、住宅の最上階の居室および非居室は、１階（下階）に比べて高温となる。そのため、最上階の非居室にも温度調整後の空気（冷気）を供給することで、最上階の非居室の温度環境を改善することができる。しかしながら、特許文献１の空調システムでは、冷房時および暖房時の双方において、居室の空調と連動して非居室の空調が行われるため、空調負荷の低減という観点から改善の余地がある。
【０００８】
また、特許文献２の制御方法では、空調対象の室内空間に設けられた吹出し口ごとにダンパが必要である。また、各ダンパを個別に電子制御する必要がある。したがって、特許文献２のような空調システムでは、空調機自体の大型化および部品点数の増加を招くため、コストの上昇および消費電力の増大が問題となる。
【０００９】
本発明は、上記のような課題を解決するためになされたものであって、その目的は、たとえば住宅の非居室などの室内空間の温度環境を、消費電力を増大させることなく改善することのできる空調システムを提供することである。
【課題を解決するための手段】
【００１０】
この発明のある局面に従う空調システムは、第１の室内空間および第２の室内空間を含む建物における空調システムであって、吸気した空気の温度を調整するための空調機と、空調機による温度調整後の空気を第１の室内空間に吹き出す第１の吹出し口と、空調機による温度調整後の空気を第２の室内空間に吹き出す第２の吹出し口と、第１の吹出し口および第２の吹出し口の少なくとも一方に設けられ、吹出し口の開度を調整するための開度調整機構とを備える。開度調整機構は、室内空間の空気の温度に応じて形状が変化する形状変化部材と、形状変化部材の形状変化に応じて位置が変えられることによって開度を変更する位置変更部材とを含む。
【００１１】
好ましくは、開度調整機構は、第１の吹出し口および第２の吹出し口の双方に設けられている。この場合、第１の吹出し口における形状変化部材と、第２の吹出し口における形状変化部材とは、形状が変化する温度帯が異なっていることが望ましい。
【００１２】
典型的には、第１の室内空間が居室であり、第２の室内空間が非居室である。
【００１３】
第１の吹出し口に設けられた開度調整機構により調整される第１の吹出し口の開度の最小状態は、全閉と全開との間の開状態であることが望ましい。これに対し、第２の吹出し口に設けられた開度調整機構により調整される第２の吹出し口の開度の最小状態は、全閉状態であることが望ましい。
【００１４】
第１の室内空間および第２の室内空間は、異なる階に配置された非居室であってもよい。この場合、第１の吹出し口に設けられた開度調整機構および第２の吹出し口に設けられた開度調整機構は、第１の吹出し口が全開状態の場合に第２の吹出し口が全閉状態となり、第１の吹出し口が全閉状態の場合に第２の吹出し口が全開状態となるように構成されていてもよい。
【００１５】
好ましくは、開度調整機構は、温度調整後の空気が形状変化部材に当たらないようにするための風除け部材を含む。
【００１６】
上記形状変化部材は、典型的には形状記憶合金であるが、バイメタルや圧電素子であってもよい。
【発明の効果】
【００１７】
本発明によれば、形状変化部材を含む開度調整機構によって吹出し口の開度が調整されるため、たとえば住宅の非居室などの室内空間の温度環境を、消費電力を増大させることなく改善することができる。
【図面の簡単な説明】
【００１８】
【図１】本発明の実施の形態に係る空調システムの概略構成を模式的に示す平面図である。
【図２】本発明の実施の形態に係る空調システムを概念的に示す図である。
【図３】本発明の実施の形態における第１の吹出し口に設けられた開度調整機構の初期状態を模式的に示す図であり、第１の吹出し口を下から見上げた図である。
【図４】本発明の実施の形態における第１の吹出し口に設けられた開度調整機構の初期状態を模式的に示す断面図である。
【図５】本発明の実施の形態における第１の吹出し口に設けられた開度調整機構の反応状態を模式的に示す図であり、第１の吹出し口を下から見上げた図である。
【図６】本発明の実施の形態における第１の吹出し口に設けられた開度調整機構の反応状態を模式的に示す断面図である。
【図７】本発明の実施の形態における第２の吹出し口に設けられた開度調整機構の初期状態を模式的に示す図であり、第２の吹出し口を下から見上げた図である。
【図８】本発明の実施の形態における第２の吹出し口に設けられた開度調整機構の初期状態を模式的に示す断面図である。
【図９】本発明の実施の形態における第２の吹出し口に設けられた開度調整機構の反応状態を模式的に示す図であり、第２の吹出し口を下から見上げた図である。
【図１０】本発明の実施の形態において、各開度調整機構に設けられた風除け部材の一例を模式的に示す断面図である。
【図１１】本発明の実施の形態に係る空調システムを適用した場合における、２階廊下（非居室）の冷房効果を示すグラフである。
【図１２】住宅の２階廊下に第２の吹出し口を設置した場合の暖房負荷と、市販品の吹出し口を設置した場合の暖房負荷とを比較するグラフである。
【図１３】一般的な公知の空調システムの概略構成を模式的に示す平面図である。
【図１４】一般的な公知の空調システムを概念的に示す図である。
【発明を実施するための形態】
【００１９】
本発明の実施の形態について図面を参照しながら詳細に説明する。なお、図中同一または相当部分には同一符号を付してその説明は繰返さない。
【００２０】
本実施の形態においては、住宅の最上階（たとえば２階）に設けられた複数の室内空間を空調対象とした空調システムについて説明する。なお、「室内空間」とは、外壁および間仕切り壁等によって区画された空間であり、居室および非居室を含む。「居室」とは、居住者が定常的に使用する空間であり、リビングルーム、ダイニングルーム、個室（寝室を含む）などを含む。「非居室」とは、居住者が非定常的に使用する空間であり、少なくとも、部屋間の通路となる廊下および玄関を含む。非居室は、洗面室や納戸などをさらに含んでもよい。
【００２１】
（概要について）
はじめに、本実施の形態に係る空調システムの説明に先立ち、図１３および図１４を参照しながら、一般的な公知の空調システム１０１について簡単に説明する。
【００２２】
公知の空調システム１０１は、住宅の２階部分９０の空調を行う。住宅の２階部分９０には、外壁および間仕切り壁によって区画された複数の居室である個室９１〜９３と、これらの個室９１〜９３に隣接する非居室である廊下９４とが配置されている。
【００２３】
空調システム１０１は、たとえば屋根裏空間に設けられた１つの空調機１０２と、個室９１〜９３にそれぞれ設けられた吹出し口１３１〜１３３と、空調機１０２と吹出し口１３１〜１３３とをそれぞれ接続するダクト１２１〜１２３とを備えている。
【００２４】
空調機１０２は、冷房運転および暖房運転の双方が可能な空調装置である。空調機１０２の電源のオン／オフ、運転モードの選択、および空調の温度設定などは、一つのリモコン１１１において操作される。リモコン１１１は、たとえば個室９１の壁面に設けられている。
【００２５】
空調機１０２は、リモコン１１１によって設定された設定温度に応じて、吸気した空気の温度を調整する。温度調整後の空気は、ダクト１２１〜１２３を介して吹出し口１３１〜１３３へと送られ、吹出し口１３１〜１３３から個室９１〜９３内に吹き出される。各吹出し口１３１〜１３３には後述の開度調整機構は設けられておらず、吹出し口１３１〜１３３から、温度調整後の空気が同じ風量で吹き出される。
【００２６】
公知の空調システム１０１において、廊下９４には吹出し口が設けられていない。夏期の２階は１階よりも日射の影響を受けるため、２階の室温は１階の室温よりも高温となる。そのため、盛夏の２階廊下９４は非常に暑く、酷な温度環境となる。
【００２７】
そこで、本実施の形態に係る空調システムは、２階廊下９４にも吹出し口を設けることで、夏期における２階廊下９４の快適性を向上させることとしている。
【００２８】
図１は、本実施の形態に係る空調システム１の概略構成を模式的に示す平面図である。図２は、本実施の形態に係る空調システム１を概念的に示す図である。空調システム１は、公知の空調システム１０１と同様に、個室９１〜９３および廊下９４を含む住宅の２階部分９０の空調を行う。
【００２９】
空調システム１は、吸気した空気の温度を調整するための１つの空調機２と、個室９１〜９３にそれぞれ設けられた第１の吹出し口３１〜３３と、廊下９４に設けられた第２の吹出し口３４と、空調機２とこれらの吹出し口３１〜３４とをそれぞれ接続するダクト２１〜２４とを備えている。このように、空調システム１は、公知の空調システム１０１と比較して、空調機２による温度調整後の空気を廊下９４にも吹き出すように構成されている点が大きく異なっている。
【００３０】
空調機２は、空調対象の個室９１〜９３および廊下９４とは異なる場所、たとえば屋根裏空間に設置されている。空調機２が設置される場所は、床下空間、壁内空間などであってもよいし、別途備えた機械室などであってもよい。
【００３１】
第１の吹出し口３１〜３３は、たとえば個室９１〜９３それぞれの天井に設けられる。第２の吹出し口３４は、たとえば廊下９４の天井に設けられる。
【００３２】
ここで、本実施の形態では、各吹出し口３１〜３４に、開度調整機構が設けられている。具体的には、第１の吹出し口３１〜３３のそれぞれに、開度調整機構４１〜４３が設けられ、第２の吹出し口３４に、開度調整機構４４が設けられている。以下の説明において、各第１の吹出し口に設けられた開度調整機構を「第１の開度調整機構」、第２の吹出し口に設けられた開度調整機構を「第２の開度調整機構」ともいう。
【００３３】
第１の開度調整機構４１〜４３は、第１の吹出し口３１〜３３の開度をそれぞれ調整し、第２の開度調整機構４４は、第２の吹出し口３４の開度を調整する。これにより、第１の開度調整機構４１〜４３によって、個室９１〜９３への空気の吹き出し量の調整がそれぞれ行われ、第２の開度調整機構４４によって、廊下９４への空気の吹き出し量の調整が行われる。
【００３４】
（第１の開度調整機構の構成例について）
図３〜図６を参照して第１の開度調整機構４１〜４３の構成例について説明する。図３〜図６においては、代表的に、個室９１の吹出し口３１に設けられた開度調整機構４１の構成を示しているが、他の個室９２，９３の吹出し口３２，３３に設けられた開度調整機構４２，４３の構成も同じである。
【００３５】
図３を参照して、第１の開度調整機構４１は、個室９１の空気の温度に応じて形状が変化する形状変化部材５１と、形状変化部材５１の形状変化に応じて位置が変えられることによって第１の吹出し口３１の開度を変更する位置変更部材５２とを含む。
【００３６】
形状変化部材５１は、典型的には形状記憶合金である。形状変化部材５１は、個室９１の空気の温度に応じて自身の長さが変化する。具体的には、形状変化部材５１は所定の温度以上となると延び、温度に応じて長さが変わる。形状変化部材５１が反応し始める所定の温度は、たとえば２６℃である。以下、所定の温度未満の状態を「初期状態」といい、所定の温度以上の状態を「反応状態」という。
【００３７】
形状変化部材５１は、取り付け部材５６によって、吹出し口３１の枠体等に取り付けられている。形状変化部材５１は、平面視において吹出し口３１の各開口３１ａ〜３１ｃとは重ならない位置に設けられている。これにより、温度調整後の空気が、形状変化部材５１に上方から直接吹き付けられることを防止することができる。
【００３８】
位置変更部材５２は、形状変化部材５１と係合または接続されることによって、形状変化部材５１の形状変化に応じて自身の位置が変えられる。本実施の形態では、位置変更部材５２は、たとえば、形状変化部材５１の先端部に接触する係合面５３ａを有する進退部材５３と、進退部材５３に固定された複数の開閉部材５４とを含む。
【００３９】
進退部材５３は、形状変化部材５１の長さ方向に対して交差する方向に進退する。係合面５３ａは、進退部材５３の先端部に設けられた傾斜面である。進退部材５３の後端には、進退部材５３を形状変化部材５１側へ付勢するバネ５５が設けられている。
【００４０】
吹出し口３１は、互いに間隔をあけて設けられた複数の開口３１ａ〜３１ｃを有しており、各開口３１ａ〜３１ｃは、進退部材５３に交差する方向に沿って延びている。開閉部材５４は、開口３１ａ〜３１ｃごとに設けられ、開口３１ａ〜３１ｃの長さ方向、すなわち進退部材５３に交差する方向に沿って延びている。複数の開閉部材５４は、進退部材５３の長さ方向に沿って互いに間隔をあけて配置される。開口３１ａ〜３１ｃは、開閉部材５４の位置に応じて開閉される。
【００４１】
図３および図４には、形状変化部材５１が初期状態の場合における第１の吹出し口３１の開度が模式的に示されている。図５および図６には、形状変化部材５１が反応状態の場合における第１の吹出し口３１の開度（最大開度）が模式的に示されている。
【００４２】
形状変化部材５１が初期状態の場合、第１の吹出し口３１の開口３１ａ〜３１ｃは、開閉部材５４によって半分程度閉鎖されている。つまり、初期状態において、第１の吹出し口３１は半開状態である。
【００４３】
夏期に、個室９１の室温が２６℃以上になると、形状変化部材５１が伸び始める。形状変化部材５１が伸びるに従って、進退部材５３はバネ５５側へ押されて後退する。進退部材５３が後退すると、それに伴って、複数の開閉部材５４が、第１の吹出し口３１の開度を広げる方向に平行移動する。このようにして、位置変更部材５２の位置が、形状変化部材５１の形状変化に応じて変えられる。
【００４４】
なお、第１の吹出し口３１の開度の変更は、位置変更部材５２の開閉部材５４が変位（移動）することで実現されることとしたが、限定的ではなく、たとえば、開閉部材の姿勢（角度）が変化することによって実現されてもよい。
【００４５】
図５および図６には、第１の吹出し口３１が全開となったときの開閉部材５４の位置が示されている。第１の開度調整機構４１における開閉部材５４は、第１の吹出し口３１を半開状態とする半開位置（図３および図４に示す位置）と、第２の吹出し口３２を全開状態とする全開位置（図５および図６に示す位置）との間を変位する。本実施の形態では、個室９１の室温がたとえば３０℃以上の場合に第１の吹出し口３１が全開となるように、第１の開度調整機構４１が構成されている。
【００４６】
なお、図１０に示されるように、第１の開度調整機構４１は、第１の吹出し口３１から吹き出される温度調整後の空気が、形状変化部材５１に当たらないようにするための風除け部材５７を含むことが望ましい。
【００４７】
風除け部材５７は、たとえば、形状変化部材５１の下面（つまり、個室９１に対面する面）を除く部分を被覆するように取り付けられている。風除け部材５７は、断熱性を有していることが望ましい。風除け部材５７は、形状変化部材５１の形状変化を妨げないように、形状変化部材５１に接することなく配置されている。
【００４８】
このように、第１の開度調整機構４１が風除け部材５７を含むことにより、第１の吹出し口３１からの吹き出し空気の風量を精度良く調整することができる。なお、風除け部材５７は、単純に、第１の吹出し口３１からの風向を形状変化部材５１の反対側へと導く風向板により実現されてもよい。
【００４９】
（第２の開度調整機構の構成例について）
図７〜図９を参照して第２の開度調整機構４４の構成例について説明する。第２の開度調整機構４４の構成は、上述の第１の開度調整機構４１〜４３の構成と基本的に同じである。第２の開度調整機構４４は、第１の開度調整機構４１〜４３における形状変化部材５１に代えて、形状変化部材５１Ａを含んでいる。そのため、第２の開度調整機構４４における位置変更部材５２は、形状変化部材５１Ａと係合または接続し、形状変化部材５１Ａの形状変化に応じて位置が変えられる。
【００５０】
形状変化部材５１Ａは、廊下９４の空気の温度に応じて形状が変化する。形状変化部材５１Ａは、上記形状変化部材５１と同じ素材（形状記憶合金）によって構成されているが、反応する温度帯が上記形状変化部材５１とは異なっている。つまり、第１の吹出し口３１〜３３における形状変化部材５１と、第２の吹出し口３４における形状変化部材５１Ａとは、形状が変化する温度帯が異なっている。
【００５１】
第２の開度調整機構４４における形状変化部材５１Ａは、第１の開度調整機構４１〜４３における形状変化部材５１が反応し始める温度（所定の温度）よりも低い温度で反応し始める。形状変化部材５１Ａが反応し始める所定の温度は、たとえば２４℃である。
【００５２】
図７および図８には、形状変化部材５１Ａが初期状態の場合における第２の吹出し口３４の開度が模式的に示されている。図９には、形状変化部材５１Ａが反応状態の場合における第２の吹出し口３４の開度が模式的に示されている。
【００５３】
形状変化部材５１Ａが初期状態の場合、第２の吹出し口３４の開口３４ａ〜３４ｃは、開閉部材５４によって完全に閉鎖されている。つまり、初期状態において、第２の吹出し口３４は全閉状態である。
【００５４】
夏期に、廊下９４の室温が２４℃以上になると、形状変化部材５１Ａが伸び始める。形状変化部材５１Ａが伸びるに従って、進退部材５３は押されて後退する。進退部材５３が後退すると、開閉部材５４が、第２の吹出し口３４の開度を広げる方向に移動する。図９には、第２の吹出し口３４が半開状態となったときの開閉部材５４の位置が示されている。第２の開度調整機構４４における開閉部材５４は、第２の吹出し口３４を全閉状態とする全閉位置（図７および図８の位置）と、第２の吹出し口３４を全開状態とする全開位置との間を変位する。
【００５５】
本実施の形態では、廊下９４の室温がたとえば３０℃以上のときに第２の吹出し口３４が全開となるように、第２の開度調整機構４４が構成されている。このように、第２の吹出し口３４が全開状態となる温度（最低温度）は、第１の吹出し口３１〜３３が全開状態となる温度（最低温度）と同じであってもよい。
【００５６】
なお、第２の開度調整機構４４においても、図１０に示したように、第２の吹出し口３４から吹出される温度調整後の空気が形状変化部材５１Ａに当たらないようにするための風除け部材が設けられることが望ましい。これにより、第２の吹出し口３４からの吹き出し空気の風量を精度良く調整することができる。
【００５７】
上述のように、第１の開度調整機構４１〜４３により調整される第１の吹出し口３１〜３３の開度の最小状態は、全閉と全開との間の開状態（たとえば半開状態）であるのに対し、第２の開度調整機構４４により調整される第２の吹出し口３４の開度の最小状態は、全閉状態である。また、第２の吹出し口３４は、廊下９４の室温が２４℃以上となると開き始める。したがって、本実施の形態によれば、廊下９４の空調を夏期にのみ実施することができる。このことについて、以下に具体的に説明する。
【００５８】
（夏期の空調について）
夏期に空調機２が冷房運転モードで動作している場合における、個室９１〜９３および廊下９４の空調について説明する。
【００５９】
夏期であっても比較的気温の低い時間帯など、個室９１〜９３の室温が２６℃未満の場合には、個室９１〜９３の第１の吹出し口３１〜３３は、半開状態である。盛夏の日中など、日射の影響を受け易い時間帯に、個室９１〜９３の室温が２６℃以上となると、開度調整機構４１〜４３によって、第１の吹出し口３１〜３３の開度が大きくなるよう調整される。したがって、居住者がリモコン１１等の操作をしなくても、室温に応じて冷気の風量を調整することができる。
【００６０】
廊下９４の第２の吹出し口３４は、室温が２４℃未満の場合には全閉状態であるが、夏期には廊下９４の室温が２４℃以上となるため、形状変化部材５１Ａの形状変化によって第２の吹出し口３４は開状態となる。したがって、居住者がリモコン１１等の操作をしなくても、廊下９４の冷房を開始することができる。
【００６１】
また、第１の吹出し口３１〜３３と同様に、廊下９４の室温が２４℃以上の場合、第２の開度調整機構４４によって、室温の高低に応じて第２の吹出し口３４の開度が調整される。したがって、居住者がリモコン１１等の操作をしなくても、廊下９４においても、室温に応じて冷気の風量を調整することができる。
【００６２】
図１１は、本空調システム１を適用した場合における２階廊下９４の冷房効果を示すグラフである。図１１の実線は、本空調システム１を適用した場合における、盛夏のある一日の室温変化を示し、図１１の一点鎖線は、公知の空調システム１０１を適用した場合における、盛夏のある一日の室温変化を示す。
【００６３】
図１３および図１４に示したように、公知の空調システム１０１においては、２階廊下９４に吹出し口が設けられていないため、室温は常に約３０℃以上である。これに対し、本空調システム１では、２階廊下９４に第２の吹出し口３４が設けられており、その開度が自動的に調整される。そのため、本空調システム１によれば、夕方の時間帯における室温を、公知の空調システム１０１よりも２．７℃程度（ΔＴ）低下させることができる。したがって、本空調システム１によれば、帰宅時における２階廊下９４の暑さを効果的に緩和することができる。
【００６４】
また、個室９１〜９３の方位や外皮面積、あるいは個室９１〜９３に設けられた窓の位置等によって室温は異なるが、本実施の形態では、それぞれの個室９１〜９３の室温に応じて、第１の吹出し口３１〜３３の開度が、半開から全開の範囲内で個別に調整される。したがって、個室９１〜９３間の室温のバラツキを抑制することもできる。
【００６５】
（冬期の空調について）
冬期に空調機２が暖房運転モードで動作している場合における、個室９１〜９３および廊下９４の空調について説明する。
【００６６】
冬期の室温は、非暖房時において大よそ１０℃以下であり、暖房時であっても２３℃以下である。そのため、個室９１〜９３の第１の吹出し口３１〜３３に設けられた形状変化部材５１、および、廊下９４の第２の吹出し口３４に設けられた形状変化部材５１Ａはともに、初期状態である。つまり、個室９１〜９３の第１の吹出し口３１〜３３は半開状態であり、廊下９４の第２の吹出し口３４は全閉状態である。
【００６７】
したがって、冬期においては、廊下９４へは暖気が供給されず、個室９１〜９３へのみ暖気が供給される。冬期における２階廊下９４は１階の玄関や廊下よりも相対的に温度が高く、温度環境はそれほど悪くない。そのため、冬期に２階廊下９４の空調を行わないようにすることで、暖房負荷を低減することができる。
【００６８】
図１２は、２階廊下９４に、自動開度調整の第２の吹出し口３４を設置した場合の暖房負荷と、市販品の吹出し口を設置した場合の暖房負荷とを比較するグラフである。市販品の吹出し口は、常に開状態であるため、本空調システム１に比べて暖房負荷が大きい。このシミュレーション結果では、本空調システム１によれば、市販品の吹出し口を設置する場合よりも、７％程度暖房負荷を低減できることが示されている。
【００６９】
このように、本空調システム１によれば、夏期に２階廊下９４の空調が行われるため、夏期における２階廊下９４の温度環境を改善できる。また、冬期には２階廊下９４の空調が行われないため、年間を通した空調負荷の低減を実現することができる。
【００７０】
また、個室９１〜９３のそれぞれに開度調整機構４１〜４３が設けられているため、吹出し口３１〜３３の開度が個々に調整される。これにより、個室９１〜９３間の温度ムラを低減できる。したがって、本空調システム１によれば、居住者が手動で風量バランスを調整しなくても、個室９１〜９３の温度環境も効率的に改善することができる。その結果、居住者は、個室９１〜９３および廊下９４を含む住宅の２階部分９０において快適に過ごすことが可能となる。
【００７１】
また、本空調システム１では、特許文献２のようなダンパが不要であるため、簡易な構成で、消費電力を低減することができる。また、ダンパが不要であるため、イニシャルコストおよびランニングコストを低減することができる。さらに、ダンパ等のメンテナンスや交換の手間も不要とすることができる。
【００７２】
なお、本実施の形態では、形状変化部材５１，５１Ａが伸びるに従って吹出し口の開度が大きくなることとしたが、反対に、形状変化部材５１，５１Ａが縮まるに従って吹出し口の開度が大きくなるように開度調整機構を構成してもよい。
【００７３】
（変形例）
本実施の形態では、複数の居室（個室９１〜９３）と１つの非居室（廊下９４）とを空調対象とする例について説明したが、空調対象の居室が１つであってもよいし、空調対象の非居室が２つ以上であってもよい。
【００７４】
また、本実施の形態では、常に開状態の第１の吹出し口が居室に設けられ、全閉状態となり得る第２の吹出し口が非居室に設けられることとしたが、限定的ではない。たとえば、第１の吹出し口および第２の吹出し口の双方が、異なる非居室に設けられてもよい。この場合、使用頻度の高い（滞在時間の長い）洗面室などの非居室に、常に開状態の第１の吹出し口を設け、使用頻度の低い廊下などの通路室に、全閉状態となり得る第２の吹出し口を設けてもよい。
【００７５】
また、本実施の形態では、第１の吹出し口の開度の調整範囲と第２の吹出し口の開度の調整範囲とを異ならせることとしたが、限定的ではない。たとえば、第１の吹出し口に設けられた開度調整機構および第２の吹出し口に設けられた開度調整機構は、第１の吹出し口が全開状態の場合に第２の吹出し口が全閉状態となり、第１の吹出し口が全閉状態の場合に第２の吹出し口が全開状態となるように構成されていてもよい。
【００７６】
具体的には、住宅の１階の玄関（非居室）と２階廊下（非居室）とのそれぞれに、第１の吹出し口および第２の吹出し口を設け、夏期および冬期に、これらの吹出し口の開度が反対方向に調整されてもよい。これにより、２階廊下の空調を夏期にのみ行い、１階玄関の空調を冬期にのみ行うことができる。したがって、１階玄関および２階廊下の空調を効率よく行うことができる。
【００７７】
また、本実施の形態では、第１の吹出し口および第２の吹出し口の双方に開度調整機構が設けられることとしたが、これらのうちの一方にのみ開度調整機構が設けられていてもよい。
【００７８】
また、形状変化部材５１，５１Ａが形状記憶合金であるとして説明したが、所定の温度以上となると温度に応じて形状が変化する部材であれば、これに限定されない。たとえば、形状変化部材はバイメタルや圧電素子であってもよい。
【００７９】
また、本実施の形態では、空調システム１が住宅に適用されることとしたが、複数の室内空間を含む建物であれば、住宅以外の建物（オフィスビル、介護施設、ホテルなど）に適用することもできる。たとえば、空調システム１が適用される建物がオフィスビルの場合、第１の吹出し口が設けられる居室を事務室、第２の吹出し口が設けられる非居室を廊下とすることができる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１，１０１  空調システム、２，１０２  空調機、２１〜２４，１２１〜１２３  ダクト、３１〜３３  第１の吹出し口、３４  第２の吹出し口、１３１〜１３３  吹出し口、３１ａ〜３１ｃ，３４ａ〜３４ｃ  開口、４１〜４４  開度調整機構、５１，５１Ａ  形状変化部材、５２  位置変更部材、５３  進退部材、５４  開閉部材、５５  バネ、５６  取り付け部材、５７  風除け部材、９１〜９３  個室（居室）、９４  廊下（非居室）、１１１  リモコン。
【図１】
2019007639.tif 000003
【図２】
2019007639.tif 000004
【図３】
2019007639.tif 000005
【図４】
2019007639.tif 000006
【図５】
2019007639.tif 000007
【図６】
2019007639.tif 000008
【図７】
2019007639.tif 000009
【図８】
2019007639.tif 000010
【図９】
2019007639.tif 000011
【図１０】
2019007639.tif 000012
【図１１】
2019007639.tif 000013
【図１２】
2019007639.tif 000014
【図１３】
2019007639.tif 000015
【図１４】
2019007639.tif 000016